(57)【要約】システム情報をスケジュールすることを容易にするシステム（単数または複数）及び方法（単数または複数）が提供されている。システム情報のスケジューリングは、ブロードキャストチャネル（ＢＣＨ）に関連づけられた制御チャネルを活用し、スケジューリングユニット（ＳＵｓ）によって典型的に搬送されるシステム情報に加えて、参照情報（例、時間参照あるいはスケジューリング参照）を使用する。スケジューリングは、主に３つのプラニングタイプにしたがって、行われる。（ｉ）ＳＵは、異なるＳＵがＢＣＨに関連づけられた制御チャネルにおいてスケジュールされるべきである時間の表示を搬送する。表示された時間は、制御チャネルにおける特定の時間スロット、あるいは、実際のスケジューリングの瞬間についてのより低いバウンド、である。（ｉｉ）第１のＳＵは、ＢＣＨに関連づけられた制御チャネルにおいて異なるスケジューリングユニットをスケジュールするための、時間サイクル、あるいは時間期間を表示する。（ｉｉｉ）第１のＳＵは、同じ制御チャネルにおける第２のＳＵに対する時間表示を搬送し、第２のＳＵは、第３のＳＵがスケジュールされるべきである時間を表示する。
2010521895.tif 000002
【特許請求の範囲】
【請求項１】
無線通信システムにおいてシステム情報をスケジュールするための方法であって、前記方法は、
第１のスケジューリングユニットをスケジュールすることと、なお、前記第１のスケジューリングユニットは、第２のスケジューリングユニットがスケジュールされるべきである時間の表示を含む；
ブロードキャストチャネルに関連づけられた制御チャネルにおいて前記第２のスケジューリングユニットをスケジュールすることと；
前記第１のスケジューリングユニットを伝達し、前記第２のスケジューリングユニットを伝達することと；
を備えている、
方法。
【請求項２】
前記第２のスケジューリングユニットがスケジュールされるべきである時間の前記表示は、前記第２のＳＵがスケジュールされる明示的な瞬間を伝達する、請求項１に記載の方法。
【請求項３】
前記第２のスケジューリングユニットがスケジュールされるべきである時間の前記表示は、前記第２のＳＵがスケジュールされる実際の瞬間に対してより低いバウンドを伝達する、請求項１に記載の方法。
【請求項４】
時間の前記表示は、物理層チャネルのＭビットを備えており、Ｍは正の整数である、請求項１に記載の方法。
【請求項５】
前記第１のスケジューリングユニットあるいは前記第２のスケジューリングユニットをスケジュールすることは、ラウンドロビンアルゴリズム、公平キューイングアルゴリズム、最大スループットアルゴリズム、あるいは、比例的公正アルゴリズム、のうちの少なくとも１つを備えている、請求項１に記載の方法。
【請求項６】
スケジューリングユニットをスケジュールすることと、なお、前記スケジューリングユニットは、時間サイクルの少なくとも表示を備え、それに応じて、１セットの異なるスケジューリングユニットがスケジュールされるべきである；
前記セットの異なるスケジューリングユニットをスケジュールすることと；
前記のセットのスケジューリングユニットを伝達することと；
をさらに備えている、請求項１に記載の方法。
【請求項７】
前記時間シーケンスは、周期的シーケンスである、請求項６に記載の方法。
【請求項８】
時間シーケンスの前記表示は、前記周期的シーケンスが始まる時間スロットを伝達するオフセットを備える、請求項６に記載の方法。
【請求項９】
タイムオフセットの前記表示は、物理層チャネルにおいてＮビットを備えており、なお、Ｎは正の整数である、請求項８に記載の方法。
【請求項１０】
サービスプロバイダは、前記周期的シーケンスの期間を決定する、請求項７に記載の方法。
【請求項１１】
スケジューリングポリシーを最適化する時間シーケンスを推論すること、をさらに備えている請求項６に記載の方法。
【請求項１２】
スケジューリングポリシーを受信することと；
前記の受信されたスケジューリングポリシーにしたがって１セットの時間を生成することと、なお前記セットの時間は、スケジューリングユニットを参照するために使用される；
をさらに備えている、
請求項１に記載の方法。
【請求項１３】
前記セットの異なるユニットをスケジューリングすることは、ラウンドロビンアルゴリズム、公平キューイングアルゴリズム、最大スループットアルゴリズム、あるいは比例的公正アルゴリズム、のうち少なくとも１つを備えている、請求項６に記載の方法。
【請求項１４】
無線通信システムにおいて使用される方法であって、前記方法は、
第２のスケジューリングユニットを表示する第１のスケジューリングユニットをスケジュールすることと、なお、前記第２のスケジューリングは、第３のスケジューリングユニットがスケジュールされるべきである時間の表示を含む；
ブロードキャストチャネルに関連した制御チャネルにおいて、前記第３のスケジューリングユニットをスケジュールすることと；
前記第１のスケジューリングユニット、前記第２のスケジューリングユニット、前記第３のスケジューリングユニットを伝達することと；
を備えている、
方法。
【請求項１５】
前記第３のスケジューリングユニットがスケジュールされるべきである時間の前記表示は、物理層チャネルにおいてＮビットを備えており、なお、Ｎは、正の整数である、請求項１４に記載の方法。
【請求項１６】
前記第３のスケジューリングユニット（ＳＵ）がスケジュールされるべきである時間の前記表示は、前記第２のＳＵがスケジュールされる明示的な瞬間を伝達する、請求項１４に記載の方法。
【請求項１７】
前記第３のスケジューリングユニット（ＳＵ）がスケジュールされるべきである時間の前記表示は、前記第３のＳＵがスケジュールされる実際の瞬間に対してより低いバウンドである、請求項１４に記載の方法。
【請求項１８】
前記第１のスケジューリングユニット、前記第２のスケジューリングユニット、あるいは前記第３のスケジューリングユニット、をスケジュールすることは、ラウンドロビンアルゴリズム、公平キューイングアルゴリズム、最大スループットアルゴリズム、あるいは比例的公正アルゴリズム、のうち少なくとも１つを備えている、請求項１４に記載の方法。
【請求項１９】
ブロードキャストチャネルに制御チャネルを関連づけるように、
第２のＳＵがスケジュールされるべきである時間の少なくとも表示を搬送する第１のスケジューリングユニット（ＳＵ）をスケジュールするように、
前記ブロードキャストチャネルに関連して前記制御チャネルにおいて前記第２のＳＵをスケジュールするように、
第４のＳＵを表示する第３のＳＵをスケジュールするように、なお、前記第４のＳＵは、第５のＳＵがスケジュールされるべきである時間の表示を備えており、
前記ブロードキャストチャネルに関連した前記制御チャネルにおける前記第５のスケジューリングユニットをスケジュールするように、
構成されたプロセッサと；
前記プロセッサに結合されたメモリと；
を備えている、
無線通信デバイス。
【請求項２０】
前記プロセッサは、前記第１のスケジューリングユニット、前記第２のスケジューリングユニット、前記第３のスケジューリングユニット、前記第４のスケジューリングユニット、及び前記第５のスケジューリングユニットに伝達するように、さらに構成されている、請求項１９に記載の無線通信デバイス。
【請求項２１】
前記第１のスケジューリングユニット、前記第２のスケジューリングユニット、前記第３のスケジューリングユニット、前記第４のスケジューリングユニット、及び前記第５のスケジューリングユニットをスケジュールするために、前記プロセッサは、ラウンドロビンアルゴリズム、公平キューイングアルゴリズム、最大スループットアルゴリズム、あるいは比例的公正アルゴリズム、のうち少なくとも１つを使用するように更に構成されている、請求項１９に記載の無線通信デバイス。
【請求項２２】
前記プロセッサは、
スケジューリングユニットをスケジュールするように、なお、前記スケジューリングユニットは、時間サイクルの少なくとも表示を備え、それに応じて、１セットの異なるスケジューリングユニットがスケジュールされるべきである；
前記セットの異なるスケジューリングユニットをスケジュールするように；
さらに構成されている、請求項１９に記載の無線通信デバイス。
【請求項２３】
前記第２のスケジューリングユニットがスケジュールされるべきである前記時間は、前記第２のＳＵがスケジュールされる実際の時間スロットに対してより低いバウンドである、請求項２２に記載の無線通信デバイス。
【請求項２４】
前記スケジューリングユニットは、前記時間サイクルが始まる時間スロットを伝達する時間オフセットの表示をさらに備えている、請求項２２に記載の無線通信デバイス。
【請求項２５】
時間オフセットの前記表示は、明示的な通信スロット、明示的な無線フレーム、あるいは明示的な無線サブフレーム、のうち少なくとも１つを伝達する、請求項２４に記載の無線通信デバイス。
【請求項２６】
時間オフセットの前記表示は、物理層チャネルにおいてＮビットを備えており、なお、Ｎは正の整数である、請求項２４に記載の無線通信デバイス。
【請求項２７】
前記プロセッサは、前記セットの異なるスケジューリングユニットを伝達するように、さらに構成されている、請求項２２に記載の無線通信デバイス。
【請求項２８】
前記プロセッサは、
スケジューリングポリシーを受信するように；
前記の受信されたスケジューリングポリシーにしたがって１セットの時間を生成するように、なお、前記セットの時間は、スケジューリングユニットを参照するために使用される；
さらに構成される、請求項２２に記載の無線デバイス。
【請求項２９】
前記無線デバイスにサービス提供するサービスプロバイダは、前記時間サイクルを決定する、請求項２０に記載の無線デバイス。
【請求項３０】
異なるスケジューリングユニットをスケジュールする前記時間は、スケジューリングプランにしたがって決定される、請求項２２に記載の無線デバイス。
【請求項３１】
コンピュータプログラムプロダクトであって、コンピュータ可読メディアは、
第２のスケジューリングユニットがスケジュールされるべきであるインスタンスの少なくとも表示を伝達する第１のスケジューリングユニットを少なくとも１つのコンピュータにスケジュールさせるコードと；
前記ブロードキャストチャネルに関連した前記制御チャネルにおいて前記第２のスケジューリングユニットを、前記少なくとも１つのコンピュータにスケジュールさせるコードと；
第４のスケジューリングユニットを表示する第３のスケジューリングユニットを、前記少なくとも１つのコンピュータにスケジュールさせるコードと、なお、前記第４のスケジューリングは、第５のユニットがスケジュールされるべきである時間の表示を含んでいる；
ブロードキャストチャネルに関連した制御チャネルにおいて前記第５のスケジューリングユニットを、前記少なくとも１つのコンピュータにスケジュールさせるコードと；
前記第１のスケジューリングユニット、前記第２のスケジューリングユニット、前記第３のスケジューリングユニット、前記第４のスケジューリングユニット、前記第５のスケジューリングユニットを、前記少なくとも１つのコンピュータに伝達させるコードと；
を含んでいる、
コンピュータプログラムプロダクト。
【請求項３２】
前記第２スケジューリングユニット（ＳＵ）がスケジュールされるべきであるインスタンスの前記表示は、前記第２のＳＵがスケジュールされる明示的な瞬間を伝達する、請求項３１に記載のコンピュータ可読メディア。
【請求項３３】
前記第２のスケジューリングユニット（ＳＵ）がスケジュールされるべきであるインスタンスの前記表示は、前記第２のＳＵがスケジュールされる実際の瞬間に対してより低いバウンドである、請求項３１に記載のコンピュータ可読メディア。
【請求項３４】
前記第５のスケジューリングユニット（ＳＵ）がスケジュールされるべきであるインスタンスの前記表示は、前記第５のＳＵがスケジュールされる明示的な瞬間を伝達する、請求項３１に記載のコンピュータ可読メディア。
【請求項３５】
前記第５のスケジューリングユニット（ＳＵ）がスケジュールされるべきである時間の前記表示は、前記第５のＳＵがスケジュールされる実際の瞬間に対して低いバウンドである、請求項３１に記載のコンピュータ可読メディア。
【請求項３６】
スケジューリングユニットを少なくとも１つのコンピュータにスケジュールさせるコードと、なお、前記スケジューリングユニットは、どのインスタンスで１セットの異なるスケジューリングユニットがスケジュールされるべきかを命令する時間シーケンスの少なくとも表示を備えている；
前記セットの異なるスケジューリングユニットを前記少なくとも１つのコンピュータにスケジュールさせるコードと；
をさらに備えている請求項３１に記載のコンピュータ可読メディア。
【請求項３７】
スケジューリングポリシーを最適化する時間シーケンスを推論すること、をさらに備えている請求項３１に記載のコンピュータ可読メディア。
【請求項３８】
無線通信システムにおいて動作する装置であって、前記装置は、
第１のスケジューリングユニットをスケジュールするための手段と、なお、前記第１のスケジューリングユニットは、第２のスケジューリングユニットがスケジュールされるべきである１セットの時間の表示を含んでいる；
ブロードキャストチャネルに関連した制御チャネルにおいて前記第２のスケジューリングユニットをスケジュールするための手段と；
前記第１のスケジューリングユニットを伝達し、前記第２のスケジューリングユニットを伝達するための手段と；
を備えている、
装置。
【請求項３９】
スケジューリングユニットをスケジュールするための手段と、なお、前記スケジューリングユニットは、時間サイクルの少なくとも表示を備え、それに応じて、１セットの異なるスケジューリングユニットがスケジュールされるべきである；
前記セットの異なるスケジューリングユニットをスケジュールするための手段と；
をさらに備えている請求項３８に記載の装置。
【請求項４０】
前記第２のスケジューリングユニットがスケジュールされるべきである前記時間は、前記第２のＳＵがスケジュールされる実際の時間スロットに対してより低いバウンドである、請求項３８に記載の装置。
【請求項４１】
時間の前記表示は、物理層チャネルにおけるＭビットを備えている、請求項４０に記載の装置。
【請求項４２】
前記スケジューリングユニットは、前記時間サイクルが始まる時間を伝達する時間オフセットの表示をさらに備えている、請求項４０に記載の装置。
【請求項４３】
時間オフセットの前記表示は、物理層チャネルにおけるＮビットを備えており、なお、Ｎは正の整数である、請求項４２に記載の装置。
【請求項４４】
無線システムにおいて動作する装置であって、前記装置は、
第２のスケジューリングユニットを表示する第１のスケジューリングユニットをスケジュールするための手段と、なお、前記第２のスケジューリングは、第３のスケジューリングユニットがスケジュールされるべきである時間の表示を含む；
ブロードキャストチャネルに関連した制御チャネルにおいて前記第３のスケジューリングユニットをスケジュールするための手段と；
前記第３のスケジューリングユニット、前記第４のスケジューリングユニット、前記第５のスケジューリングユニット、を伝達するための手段と；
を備えている、
装置。
【請求項４５】
スケジューリングユニットをスケジュールするための手段と、なお、前記スケジューリングユニットは、時間サイクルの少なくとも表示を備え、それに応じて、１セットの異なるスケジューリングユニットがスケジュールされるべきである；
前記セットの異なるスケジューリングユニットをスケジュールするための手段と；
をさらに備えている請求項４４に記載の装置。
【請求項４６】
時間サイクルの前記表示は、物理層チャネルにおけるＭビットを備えており、なお、Ｍは正の整数である、請求項４５に記載の装置。
【請求項４７】
前記第３のスケジューリングユニットがスケジュールされるべきである前記時間は、前記第３のＳＵがスケジュールされる実際の瞬間に対してより低いバウンドである、請求項４４に記載の装置。
【請求項４８】
前記スケジューリングユニットは、前記時間サイクルが始まる時間スロットを伝達する.時間オフセットの表示をさらに備えている、請求項４５に記載の装置。
【請求項４９】
時間オフセットの前記表示は、物理層チャネルにおいてＮビットを備えており、なお、Ｎは正の整数である、請求項４７に記載の装置。
【発明の詳細な説明】
【優先権主張】
【０００１】
（米国特許法第１１９条の下の優先権主張）
この特許出願は、２００７年３月１４日に出願された「ＬＴＥにおける動的ＢＣＨのスケジューリング(SCHEDULING OF DYNAMIC BCH IN LTE)」と題された米国仮特許出願番号６０／８９４，８９３号の利益を主張する。本出願の全体は、参照によってここにおいて明示的に組み込まれている。
【背景】
【０００２】
（Ｉ．分野）
主題の明細書は、一般に無線通信(wireless communication)に関し、より具体的には、通信のために使用された技術に関連づけられたシステム情報(system information)をスケジュールすること(scheduling)に関する。
【０００３】
（ＩＩ．背景）
無線通信システムは、ボイス、ビデオ、データ、等のような様々なタイプの通信コンテンツを提供するために広く展開されている。これらのシステムは、１つまたは複数の基地局を備えたマルチプル端末の同時通信をサポートすることができる、多元接続システム(multiple-access systems)であってもよい。多元接続通信は、利用可能なシステムリソース（例、帯域幅及び送信パワー）を共有することに依存する。多元接続システムの例は、符号分割多重接続（ＣＤＭＡ）システム、時分割多元接続（ＴＤＭＡ）システム、周波数分割多重接続（ＦＤＭＡ）システム、及び直交周波数分割多重接続（ＯＦＤＭＡ）システムを含む。
【０００４】
無線システム（例、多元接続システム）における端末と基地局との間の通信は、順方向リンク及び逆方向リンクから成る無線リンク上の送信(transmissions)を通じて実行される(effected)。そのような通信リンクは、シングルインプットシングルアウトプット(single-input-single-output)（ＳＩＳＯ）、シングルインプットシングルアウトプット(single-input-single-output)（ＳＩＳＯ）、あるいはマルチプルインプットマルチプルアウトプット(multiple-input-multiple-output)（ＭＩＭＯ）システムを介して、確立されることができる。ＭＩＭＯシステムは、データ伝送のための、マルチプル（ＮＴ）送信アンテナ及びマルチプル（ＮＲ）受信アンテナをそれぞれ備えた送信機（単数または複数）及び受信機（単数または複数）から成る。ＳＩＳＯシステムとＭＩＳＯシステムは、ＭＩＭＯシステムの具体的な例(particular instances)である。ＮＴ送信アンテナ及びＮＲ受信アンテナによって形成されたＭＩＭＯチャネルは、ＮＶ独立チャネルに分解されることができ、それは空間チャネル(spatial channels)とも呼ばれ、なお、ＮＶ≦ｍｉｎ｛ＮＴ，ＮＲ｝である。ＮＶ独立チャネルのそれぞれは、次元(dimension)に対応する。ＭＩＭＯシステムは、マルチプル送信アンテナ及び受信アンテナによって作られたさらなる次元性(additional dimensionalities)が使用される場合には、改善されたパフォーマンス（例、より高いスループット、より大きいキャパシティ、あるいは改善された信頼性）を提供することができる。
【０００５】
マルチプルの利用可能な無線通信システムの特色に関わらず、そのようなシステムのそれぞれにおいて、無線デバイスのオペレーションは、システム情報を成功して受信することに頼る。典型的に、そのようなシステム情報は、サービング基地局(serving base station)において動作するスケジューラによって採用するスケジューリングメカニズム(scheduling mechanisms)にしたがってデバイスにおいて受信される。一般的に、無線デバイスオペレーションの効率性は、システム情報のスケジューリングメカニズムのかなりの程度(a significant extent)による。例えば、バッテリ使用(battery utilization)は、スケジューリングメカニズムがトランシーバ及び関連コンポーネントの不必要な使用を含むときに、実質的には低下されうる(can be deteriorated)。そのようなシナリオは、モバイル局のトランシーバが、アップデートされた、あるいは新しい、システム情報のような機器のオペレーションを促進する(furthers)情報を受信することなくチャネルに対してアクティブに「リスン(listen)」するときに、典型的に起こる。したがって、無線環境において動作している無線デバイスのトランシーバ及び関連コンポーネントの不必要な使用を減らす効率的なスケジューリングメカニズム（単数または複数）について、技術において必要性が存在する。
【発明の概要】
【０００６】
以下は、開示された実施形態のいくつかの態様の基本的な理解を提供するために、簡略化された概要(summary)を提示する。この概要は、広範囲な全体像ではなく、重要なあるいは決定的な要素を識別することも、あるいは、このような実施形態の範囲を詳細に描写することも、意図されていない。その目的は、後で示される、より詳細な説明の前置きとして、簡略化された形で説明される実施形態のいくつかのコンセプトを提示することである。
【０００７】
主題の明細書は、システム情報をスケジュールすることを容易にする、システム（単数または複数）及び方法（単数または複数）を開示する。システム情報のスケジューリング(scheduling of system information)は、ブロードキャストチャネル(broadcast channel)（ＢＣＨ）に関連づけられた制御チャネルを利用し、スケジューリングユニット(scheduling units)（ＳＵｓ）によって典型的に搬送されるシステム情報に加えて、参照情報（例、時間参照あるいはスケジューリング参照）を利用する。スケジューリングは、主に３つのスケジューリングプラニングタイプにしたがって、進める。（i）明示的なスケジューリングプラン(Explicit scheduling plan) ＳＵは、異なるＳＵが、ＢＣＨに関連づけられた制御チャネルにおいてスケジュールされるべきである時間の表示(an indication of a time at which a disparate SU is to be scheduled in the control channel associated with the BCH)を搬送する。表示された時間(indicated time)は、制御チャネルにおける特定の時間スロットあるいは実際のスケジューリングの瞬間についてのより低いバウンド(a specific time slot in the control channel or a lower bound for an actual scheduling instant)である。（ii）周期的なスケジューリングプラン(Periodic scheduling plan) 第１のＳＵは、ＢＣＨに関連づけられた制御チャネルにおいて異なるスケジューリングユニットをスケジュールするための、時間サイクル(time cycle)あるいは時間期間(time period)を表示する。（iii）変遷的-明示的な、スケジューリングプラン(Transitive-explicit scheduling plan) 第１のＳＵは、同じ制御チャネルの第２のＳＵに対して時間表示を搬送し、第２のＳＵは、第３のＳＵがスケジュールされるべきである時間を表示する。
【０００８】
特に、主題のイノベーション(subject innovation)の態様において、無線通信システムにおけるシステム情報をスケジュールするための方法が開示されており、該方法は、第１のスケジューリングユニットをスケジュールすることと、なお、第１のスケジューリングユニットは、第２のスケジューリングユニットがスケジュールされるべきである時間の表示を含んでいる；ブロードキャストチャネルに関連した制御チャネルにおいて第２のスケジューリングユニットをスケジュールすることと；第１のスケジューリングユニットを伝達し、第２のスケジューリングユニットを伝達することと；を備えている。
【０００９】
別の態様において、主題の明細書は、無線通信システムにおいて利用される方法を説明しており、該方法は、第２のスケジューリングユニットを表示する第１のスケジューリングユニットをスケジュールすることと、なお、第２のスケジューリングは、第３のスケジューリングユニットがスケジュールされるべきである時間の表示を含む；ブロードキャストチャネルに関連した制御チャネルにおいて第３のスケジューリングユニットをスケジュールすることと；第１スケジューリングユニット、第２のスケジューリングユニット、第３のスケジューリングユニットを伝達することと；を備えている。
【００１０】
さらなる態様において、無線通信デバイスが開示されており、該デバイスは、ブロードキャストチャネルに制御チャネルを関連づけるように、第２のＳＵがスケジュールされるべきである時間の少なくとも表示を搬送する第１のスケジューリングユニット（ＳＵ）をスケジュールするように、ブロードキャストチャネルに関連して制御チャネルにおける第２のＳＵをスケジュールするように、第４のＳＵを表示する第３のＳＵをスケジュールするように、なお、第４のＳＵは、第５のＳＵがスケジュールされるべきである時間の表示を備えている、ブロードキャストチャネルに関連した制御チャネルにおける第５のスケジューリングユニットをスケジュールするように、構成されたプロセッサと；プロセッサに結合されたメモリと；を備えている。
【００１１】
さらなる別の態様において、イノベーションは、コンピュータプログラムプロダクト(computer program product)を開示しており、コンピュータプログラムプロダクトは、第２のスケジューリングユニットがスケジュールされるべきであるインスタンスの少なくとも表示を伝達する第１のスケジューリングユニットを少なくとも１つのコンピュータにスケジュールさせるコードと；ブロードキャストチャネルに関連した制御チャネルにおいて第２のスケジューリングユニットを少なくとも１つのコンピュータにスケジュールさせるコードと；第４のスケジューリングユニットを表示する第３のスケジューリングユニットを少なくとも１つのコンピュータにスケジュールさせるコードと、なお、第４のスケジューリングは、第５のユニットがスケジュールされるべきである時間の表示を含む；ブロードキャストチャネルに関連した制御チャネルにおいて第５のスケジューリングユニットを少なくとも１つのコンピュータにスケジュールさせるコードと；第１のスケジューリングユニット、第２のスケジューリングユニット、第３のスケジューリングユニット、第４のスケジューリングユニット、第５のスケジューリングユニットを少なくとも１つのコンピュータに伝達させるコードと；を含んでいるコンピュータ可読メディア(computer-readable medium)を備えている。
【００１２】
さらにさらなる態様において、無線通信システムにおいて動作する装置(apparatus)が説明されており、該装置は、第１のスケジューリングユニットをスケジュールするための手段と、なお、第１のスケジューリングユニットは、第２のスケジューリングユニットがスケジュールされるべきである１セットの時間の表示(an indication of a set of times at which a second scheduling unit is to be scheduled)を含む；ブロードキャストチャネルに関連した制御チャネルにおいて第２のスケジュールユニットをスケジュールするための手段と；第１のスケジューリングユニットを伝達し、第２のスケジューリングユニットを伝達するための手段と；を備えている。
【００１３】
別の態様において、主題のイノベーションは、無線システムにおいて動作する装置に関し、該装置は、第２のスケジューリングユニットを表示する第１のスケジューリングユニットをスケジュールするための手段と、なお、該第２のスケジューリングは、第３のスケジューリングユニットがスケジュールされるべきである時間の表示を含む；ブロードキャストチャネルに関連した制御チャネルにおいて第３のスケジューリングユニットをスケジュールするための手段と；第３のスケジューリングユニット、第４のスケジューリングユニット、第５のスケジューリングユニットを伝達するための手段と；を備えている。
【００１４】
上述及び関連の目的の達成のために、１つまたは複数の実施形態は、下記で十分に説明され、また特許請求の範囲において特に指し示された、特徴を備えている。次の詳細な説明及び添付図面は、ある説明のための態様を詳細に記載しており、また、実施形態の原理が利用されることができる様々な方法のうちのいくつかを示している。他の利益及び新規な特徴は、図面と共に考慮されるときに次の詳細な説明から明らかとなるであろう、また、開示された実施形態は、すべてのそのような態様及びそれらの均等論(equivalents)を含むように意図されている。
【図面の簡単な説明】
【００１５】
【図１】図１は、マルチプルアンテナを備えたアクセスポイントが、ＳＩＭＯ、ＳＵ−ＭＩＭＯ、及びＭＵ−ＭＩＭＯにおいて動作する様々なアクセス端末と同時に通信することができる多重接続無線通信システムを図示する。アクセスポイントは、ここに開示されているように、フレキシブルなＣＱＩ報告を活用することができる。
【図２】図２は、主題の明細書において説明される態様にしたがって、システム情報をスケジュールすることを容易にする例示的なシステムを図示する。
【図３Ａ】図３Ａ及び３Ｂは、ブロードキャストに関連づけられた制御チャネルに対する時間参照：（Ａ）特定の時間のインスタンス及び（Ｂ）時間サイクル、を使用しているシステム情報のスケジューリングを図示する図である。
【図３Ｂ】図３Ａ及び３Ｂは、ブロードキャストに関連づけられた制御チャネルに対する時間参照：（Ａ）特定の時間のインスタンス及び（Ｂ）時間サイクル、を使用しているシステム情報のスケジューリングを図示する図である。
【図４】図４は、時間参照と、ここにおいて説明された態様にしたがった同様のスケジューリングユニットに対する参照と、を活用するシステム情報のスケジューリングを図示する。
【図５】図５は、主題の説明において説明されている態様にしたがった、システム情報をスケジュールすることを容易にする別の例示的なシステムを図示する。
【図６】図６は、主題の明細書において説明されている態様を活用することができる、ＭＩＭＯオペレーションにおける送信機システム及び受信機システムの例示的な実施形態のブロック図である。
【図７】図７は、例示的なＭＵ−ＭＩＭＯシステムを図示するブロック図である。
【図８Ａ】図８Ａ及び８Ｂは、主題の明細書において記載された態様にしたがった、異なるスケジューリングユニットに対する時間参照を使用して、システム情報をスケジュールするための例示的な方法のフローチャートを提示する。
【図８Ｂ】図８Ａ及び８Ｂは、主題の明細書において記載された態様にしたがった、異なるスケジューリングユニットに対する時間参照を使用して、システム情報をスケジュールするための例示的な方法のフローチャートを提示する。
【図９】図９は、主題の明細書において開示された態様にしたがった、異なるスケジューリングユニットを参照することによりシステム情報をスケジュールすることを容易にする例示的な方法のフローチャートである。
【図１０】図１０は、主題の明細書において記載された態様にしたがった、スケジューリングポリシー(scheduling policy)により時間参照を生成することを容易にする例示的な方法のフローチャートである。
【図１１】図１１は、主題の明細書において説明された態様にしたがったスケジューリングユニットを容易にする例示的なシステムのブロック図を図示する。
【図１２】図１２は、主題の明細書において説明された態様にしたがったスケジューリングユニットを容易にする例示的なシステムのブロック図を図示する。
【詳細な説明】
【００１６】
様々な実施形態が、図面を参照して説明されており、同様の参照数字は、全体にわたって、同様なエレメントを指すように使用されている。次の説明において、説明のために、多数の具体的な詳細が、１つまたは複数の実施形態の完全な理解を提供するために、記載されている。しかしながら、そのような実施形態（単数または複数）は、これらの具体的な詳細なしに実行されることができるということが明らかでありうる。他のインスタンスにおいて、よく知られた構造及びデバイスは、１つまたは複数の実施形態を説明することを容易にするためにブロック図の形で示されている。
【００１７】
本願において使用されるように、用語「コンポーネント(component)」、「モジュール(module)」、「システム(system)」、および同様なものは、コンピュータ関連のエンティティ(entity)、ハードウェアか、ファームウェア、ハードウェアとソフトウェアの組み合わせか、ソフトウェアか、あるいは実行中のソフトウェアか、を指すように意図されている。例えば、コンポーネントは、限定されてはいないが、プロセッサ上で実行中のプロセス、プロセッサ、オブジェクト、実行ファイル(executable)、実行スレッド(thread of execution)、プログラム、および／またはコンピュータ、であってもよい。例として、コンピューティングデバイス上で実行しているアプリケーション及びコンピューティングデバイスの両方は、コンポーネントでありうる。１つまたは複数のコンポーネントは、プロセスおよび／または実行スレッド内に常駐(reside)することができ、また、コンポーネントは、１つのコンピュータ上に局在化されてもよいし、かつ／または２つ以上のコンピュータの間で分散され（distributed）てもよい。さらに、これらのコンポーネントは、様々なデータ構造を保存している様々なコンピュータ可読メディアから実行することが出来る。コンポーネントは、ローカルな、および／または、遠隔のプロセスで、例えば、１つ以上のデータパケット（例、ローカルシステム、分散システムにおいて、および／または、信号による他のシステムを備えたインターネットのようなネットワーク全体にわたって、別のコンポーネントと相互作用している１つのコンポーネントからのデータ）を有している信号に従って、通信することが出来る。
【００１８】
さらに、用語「あるいは(or)」は、排他的な「または」よりもむしろ、包括的な「または」を意味するように意図されている。すなわち、記載されていない限り、あるいはコンテキストから一掃して、「ＸはＡまたはＢを利用する(X employs A or B)」は、本来の包括的な置換(permutations)のいずれも意味するように意図されている。すなわち、もしＸがＡを利用する場合には：ＸがＢを利用する場合には；あるいはＸはＡ及びＢの両方を利用する場合には、そのときには、「ＸはＡもしくはＢを利用する」は、前述のインスタンスのいずれの下でも満たされる。さらに、本願及び添付された特許請求の範囲において使用されている冠詞「a」及び「an」は、指定されないかぎりには、あるいは、単一の形式に向けられるようにコンテキストから一掃されないかぎりには、「１つまたは複数の」を意味するように一般に解釈されるべきである。
【００１９】
様々な実施形態が、無線端末と関連して、ここにおいて説明されている。無線端末は、ユーザに対しボイス及び／またはデータ接続性を供給するデバイスを指すことができる。無線端末は、ラップトップコンピュータあるいはデスクトップコンピュータのようなコンピューティングデバイスに接続されてもよく、あるいは、携帯情報端末(personal digital assistant)（ＰＤＡ）のような内蔵型デバイス(self contained device)であってもよい。無線端末はまた、システム、加入者ユニット、加入者局、モバイル局、モバイル端末、遠隔局、アクセスポイント、遠隔端末、アクセス端末、ユーザ端末、ユーザエージェント、ユーザデバイス、加入者宅内機器(a customer premises equipment)、あるいはユーザ機器と呼ばれることもできる。無線端末は、加入者局、無線デバイス、セルラ電話、ＰＣＳ電話、コードレス電話、セッションイニシエーションプロトコル(Session Initiation Protocol)（ＳＩＰ）、無線ローカルループ(wireless local loop)（ＷＩＬＬ）局、携帯情報端末(personal digital assistant)（ＰＤＡ）、無線接続能力を有するハンドヘルドデバイス(handheld device)、あるいは無線モデムに接続された他の処理デバイスであってもよい。
【００２０】
基地局は、無線インタフェース上で、１つまたは複数のセクタを通じて、無線端末と通信するアクセスネットワークにおけるデバイスを指すことができる。基地局は、受信された無線インタフェースフレームをＩＰパケットに変換することによって、ＩＰネットワークを含むことができる、無線端末とアクセスネットワークの残りとの間のルータとして、作用することができる。基地局はまた、無線インタフェースの属性の管理(management of attributes for the air interface)を調整する(coordinates)。さらに、基地局と関連してここにおいて、様々な実施形態が説明されている。基地局は、モバイルデバイス（単数または複数）と通信するために利用されることができ、また、アクセスポイント、ノードＢ、エボルブドノードＢ(evolved Node B)（ｅＮｏｄｅＢ）、あるいはいくつかの他の用語で呼ばれてもよい。
【００２１】
システム情報をスケジュールすることを容易にするシステム（単数または複数）及び方法（単数または複数）が提供されている。システム情報のスケジューリングは、ブロードキャストチャネル（ＢＣＨ）に関連づけられた制御チャネルを活用し、スケジューリングユニット（ＳＵｓ）によって典型的に搬送されたシステム情報に加えて、参照情報（例、時間参照あるいはスケジューリング参照）を利用する。スケジューリングは、３つのプラニングタイプにしたがって主に進める。（i）ＳＵは、異なるＳＵがＢＣＨに関連づけられた制御チャネルにおいてスケジュールされるべきである時間の表示を搬送する。表示された時間は、制御チャネルにおける特定の時間スロットあるいは実際のスケジューリングの瞬間についてのより低いバウンド(a specific time slot in the control channel or a lower bound for an actual scheduling instant)である。（ii）第１のＳＵは、同じ制御チャネルにおいて第２のＳＵに対して時間表示を搬送し、第２のＳＵは、第３のＳＵがスケジュールされるべきである時間を表示する。(iii)第１のＳＵは、ＢＣＨに関連づけられた制御チャネルにおいて異なるスケジューリングユニットをスケジュールするための、時間サイクル、あるいは時間期間を表示する。
【００２２】
図面を参照すると、図１は、多元接続無線通信システム１００を図示しており、マルチプルアンテナ１１３−１２８を備えたアクセスポイント１１０は、ここに開示された態様にしたがってＳＩＭＯ、ＳＵ−ＭＩＭＯ、及びＭＵ−ＭＩＭＯモードのオペレーションにおける様々なモバイル端末を同時にスケジュールし、そして通信する。オペレーションのモードは動的であり、アクセスポイント１１０は、端末１３０−１６０及び１７０１−１７０６のそれぞれのオペレーションのモードを再スケジュールすることができる。さらに、アクセスポイント１１０は、スケジュールされたオペレーションの結果として生じるオペレーション条件を変更することに基づいて報告の設定を動的に適用することができる。オペレーションの動的な性質において、ＣＱＩ報告を含んでおり、図１は、端末とアンテナとの間の通信リンクのスナップショットを図示している。図示されているように、そのような端末は、静止(stationary)あるいはモバイルであることができ、セル１８０全体にわたって分散している。ここにおいて使用されているように、また、一般的に技術分野において、用語「セル(cell)」は、用語が使用されている文脈によって、基地局１１０及び／またはそのカバレッジ地理エリア１８０を指すことができる。さらに、端末（例、１３０−１６０及び１７０１−１７０６）は、いずれの数の基地局（例、アクセスポイント１１０で示されている）とも通信することができ、あるいは、いずれの与えられた瞬間においていずれの基地局とも通信しない。端末１３０が単一のアンテナを有することに注目されており、したがって、毎度、実質的にはＳＩＭＯモードにおいて動作する。
【００２３】
一般に、アクセスポイント１１０は、ＮＴ≧１送信アンテナを所有している。アクセスポイント１１０（ＡＰ）におけるアンテナは、マルチプルアンテナグループにおいて図示されており、１つは１１３と１２８を含んでおり、別のは、１１６と１１９を含んでおり、さらなるものは、１２２と１２５を含んでいる。図１において、より多いあるいはより少ない各アンテナグループのために使用されることができるが、各アンテナグループについて２つのアンテナが示されている。図１において図示されるスナップショットにおいて、アクセス端末１３０（ＡＴ）は、アンテナ１２５及び１２２とのＳＩＭＯ通信において動作し、なお、アンテナ１２５及び１２２は、順方向リンク１３５ＦＬにわたってアクセス端末１３０に対して情報を送信し、逆方向リンク１３５ＲＬにわたってアクセス端末１３０から情報を受信する。モバイル端末１４０及び１５０は、それぞれ、アンテナ１１９及び１１６と、ＳＵ−ＭＩＭＯモードにおいてそれぞれ通信する一方で、端末１６０は、ＳＩＳＯにおいて動作する。ＭＩＭＯチャネルは、端末１４０、１５０、及び１６０のそれぞれと、アンテナ１１９及び１１６との間で形成され、異なるＦＬｓ １４５FL、１５５FL、１６５FL、及び異なるＲＬｓ １４５RL、１５５RL、１６５RLをもたらす。さらに、図１のスナップショットにおいて、端末１７０１−１７０６のグループ１８５は、ＭＵ−ＭＩＭＯにおいてスケジュールされ、グループ１８５における端末とアクセスポイント１１０におけるアンテナ１２８及び１１３との間で、マルチプルＭＩＭＯチャネルを形成している。順方向リンク１７５FL及び逆方向リンクＲＬ１７５ＲＬは、端末７０１−１７０６と基地局１１０との間で存在しているマルチプルＦＬｓ及びＲＬｓを示す。さらに、アクセスポイント１１０は、異なるグループのモバイル局から、及び異なるグループのモバイル局に対して、通信を適用するためにＯＦＤＭＡを利用することができる。セル１８０における異なるデバイスが異なるアプリケーションを実行することができるということが理解されるべきであり、したがって、ＣＱＩ報告は、アクセスポイント１１０のオペレータによって確立されるポリシーを報告することに基づいて、進めることができる。
【００２４】
一態様において、ＬＴＥのような高度なシステムは、周波数分割デュプレクス(frequency division duplex)（ＦＤＤ）通信と、時分割デュプレクス(time division duplex)（ＴＤＤ）通信の両方の中で、ＭＩＭＯオペレーションを活用することができる。ＦＤＤ通信において、リンク１３５ＲＬ−１７５ＲＬは、それぞれのリンク１３５ＦＬ−１７５ＦＬから、異なる周波数帯域を活用する。ＴＤＤ通信において、リンク１３５ＲＬ−１７５ＲＬ及び１３５ＦＬ−１７５ＦＬは、同じ周波数リソースを利用するが、このようなリソースは、順方向リンク及び逆方向リンク通信の中で時間にわたって共有される。
【００２５】
別の態様においては、システム１００は、例えば、ＣＤＭＡ、ＴＤＭＡ、ＦＤＭＡ、単一キャリアＦＤＭＡ（ＳＣ−ＦＤＭＡ）、空間分割多元接続（ＳＤＭＡ）、または他の適切な多元接続スキーム、のようなＯＦＤＭＡに加えて、１つまたは複数の多元接続スキームを利用することができる。ＴＤＭＡは、時分割多重化（ＴＤＭ）を利用しており、なお、異なる端末１３０−１６０及び１７０１−１７０６についての伝送は、異なる時間インターバルにおいて送信することによって直交化される。ＦＤＭＡは、周波数分割多重化（ＦＤＭ）を使用し、なお、異なる端末１３０−１６０及び１７０１−１７０６についての伝送は、異なる周波数サブキャリアにおいて送信することによって直交化される。一例として、ＴＤＭＡ及びＦＤＭＡシステムはまた、符号分割多重化（ＣＤＭ）を使用することができ、なお、マルチプル端末（例、１３０−１６０及び１７０１−１７０６）についての送信は、そのような送信が同じ時間インターバルあるいは周波数サブキャリアにおいて送信されるにも関わらず、異なる直交符号（例、ウォルシュ−アダマール符号(Walsh-Hadamard codes)）を使用して直交化されることができる。ＯＦＤＭＡは、直交周波数分割多重化（ＯＦＤＭ）を使用し、ＳＣ−ＦＤＭＡは、単一キャリアＦＤＭを使用する。ＯＦＤＭ及びＳＣ−ＦＤＭは、システム帯域幅をマルチプル直交サブキャリア（例、トーン、ビン、…）へと区分化することができ、それらのそれぞれは、データで変調されることができる。典型的には、変調シンボルは、ＯＦＤＭを用いて周波数ドメインにおいて、ＳＣ−ＦＤＭを用いて時間ドメインにおいて、送信される。追加的にあるいは代替的に、システム帯域幅は、１つまたは複数の周波数キャリアに分割されることができ、それらのそれぞれは、１つまたは複数のサブキャリアを含むことができる。異なるキャリアあるいはサブ帯域（例えば１セットのトーン）は、異なる端末について、あるいは異なるアプリケーションについて、指定される(designated)あるいはスケジュールされることができる。システム設計を簡略化するために、同質のトラフィックモデルは、特定なセットのサブ帯域が好まれる可能性があり、そしてそれは、１セットのサブ帯域の各サブ帯域における実質的にはとるにたらない異質のトラフィック(substantially negligible heterogeneous traffic)をもたらすことができる。一例として、１つまたは複数のサブ帯域は、ボイスオーバーＩＰ(voice-over-IP)（ＶｏＩＰ）トラフィック専用のために指定されることができる一方で、残りのサブ帯域は、高いデータレートのアプリケーション（例、ファイル転送プロトコル（ＦＴＰ））について主にターゲットにされる(targeted for)ことができる。上記で示されているように、サブ帯域の特定の割り当ては、トラフィック必要性を変更することに応じて、動的に変更することができる。さらに、ＣＱＩ報告の指令(CQI reporting directives)はまた、トラフィック変更に応じて動的に変わることができる。サブ帯域割り当ての動的変更の追加ソース、及び関連のＣＱＩ報告は、様々なトラフィックを１つのサブ帯域に混合する(mixing)ときに、パフォーマンス（例、セクタあるいはセルのスループット、データピークレート）の利得あるいは損失において生ずる��とができる。ここにおいて説明されるＣＱＩ報告の指令、あるいはメカニズムがＯＦＤＭＡシステムについて一般に説明されている一方で、ここに開示されたＣＱＩ報告の指令は、実質的には、多元接続において動作しているいずれの無線通信システムに同様に適用されることができるということが理解されるべきである。
【００２６】
さらなる態様においては、システム１００の基地局１１０及び端末１２０は、１つまたは複数のデータチャネルを使用してデータを、そして、１つまたは複数の制御チャネルを使用してシグナリングを、通信することができる。システム１００によって使用されるデータチャネルは、アクティブな端末１２０に割り当てられることができるので、各データチャネルは、いずれの与えられた時間において１つの端末のみによって使用される。代替的に、データチャネルは、マルチプル端末１２０に割り当てられることができ、そしてそれは、スーパーインポーズされるあるいはデータチャネル上で直交的にスケジュールされることができる。システムリソースを保存する(conserve)ために、システム１００によって使用される制御チャネル（例えばＣＱＩを報告するために）はまた、例えば符号分割多重、を使用してマルチプル端末１２０の中で共有されることができる。一例において、周波数及び時間においてのみ直交多重化されるデータチャネル（例、ＣＤＭを使用して多重化されないデータチャネル）は、対応する制御チャネルよりも、チャネル条件及び受信機の欠陥により直交における損失にあまり影響を受けない可能性がある。
【００２７】
各グループのアンテナあるいはそれらが（例、トラフィック、あるいはＣＱＩ報告及び他の制御データ、を伝達しあるいは受信するために）通信するように設計されたエリアはしばしば、アクセスポイントのセクタ(a sector of the access point)と呼ばれる。セクタは、図１において図示されるように全体セル１８０、あるいはより小さい領域（示されていない）であってもよい。典型的には、セクタ化されるとき、セル（例、セル１８０）は、１１０のような単一のアクセスポイントによってカバーされるいくつかのセクタ（示されていない）を含む。ここにおいて開示された様々な態様は、及びフレキシブルＣＱＩ報告に関連して、セクタ化された及び／または非セクタ化されたセルを有しているシステムにおいて使用されることができるということを理解されるべきである。さらに、いずれの数のセクタ化された及び／または非セクタ化されたセルを有しているすべての適切な無線通信ネットワークは、添付された請求項の範囲内に入るように意図されているということが理解されるべきである。簡略化のために、ここにおいて使用される用語「基地局(base station)」は、セルにサービス提供する局と同様、セクタにサービス提供する局の両方を指すことができる。次の説明は一般に、簡略化のために各端末は１つのサービングアクセスポイント（例、１１０）と通信するシステムに関するが、端末は、実質的にはいずれの数のサービングアクセスポイントと通信することができるということがさらに理解されるべきである。
【００２８】
順方向リンク１３５ＦＬ−１７５ＦＬにわたる通信において、アクセスポイント１１０の送信アンテナは、異なるアクセス端末１３０−１６０及び１７０１−１７０６についての順方向リンクの信号対雑音比を改善するために、ビームフォーミングを（例、ＳＤＭＡ通信を実行する(effect)）利用することができる。また、そのサービスエリア(coverage)を通じてランダムに散らばっているアクセス端末に送信するためにビームフォーミングを使用しているアクセスポイントは、すべてのそのアクセス端末に対し単一アンテナを通じて送信するアクセスポイントよりも、近隣セルのアクセス端末に対してより少ない干渉をもたらす。そのようなオペレーションのモードは、スケジューリングユニットの衝突及び損失パケットを緩和するために、無線システム（例、システム１００）において動作しているアクセスポイント（例、ＡＰ１１０）によってスケジューリングシステム情報に組み込まれることができる。
【００２９】
図２は、スケジュールされるべきであるスケジューリングユニット（ＳＵｓ）を参照することによってシステム情報をスケジュールすることを容易にする例示的なシステム２００を図示する。基地局２１０は、システム情報（例、システム帯域幅、アンテナ構成、セル識別情報、巡回プレフィックス(cyclic prefix)（ＣＰ）タイミング、サブキャリア周波数、等）を搬送しているスケジューリングユニットをスケジュールすることができるスケジューラを含む。スケジューリングユニットは、時間周波数リソースのブロックであり、なお、システム情報は、基地局（例、ＢＳ２１０）によって伝達される。一態様において、ＬＴＥシステムでは、スケジューリングユニットは、少なくとも２つのカテゴリ：最も頻繁に繰り返されるＳＵｓに対応し、典型的には、時間及び周波数同期化に必要なタイミング情報に加えて、異なるスケジューリングユニットのスケジューリングに関するスケジューリング情報を搬送するＳＵ−１と；（ｉ）追加システム情報同様にシステム情報（例、帯域幅、ＣＰタイミング、・・・における変更）における変更を伝達するために、（ｉｉ）獲得されたサブキャリア周波数のような、前に獲得されたシステム情報をリフレッシュするために、スケジュールされる、ＳＵ−２スケジューリングユニットと；に分けられることができる。ＳＵｓをスケジュールするために、プラニングコンポーネント２１８は、ブロードキャストチャネルに関連づけられた制御チャネルに依存する。（ブロードキャストチャネルとの関連は、スケジューリング情報が基地局のカバレッジエリア全体にわたって配信されるということを確実にするということは理解されるべきであり、実質的にはいずれのモバイル端末からも読み取られることができ、サービングセルで十分に同期化されなかったものを含む。）そのような制御チャネルは、ＳＵ−２カテゴリスケジューリングユニットをスケジュールするために、プロセッサ２２５を通じて基地局２１０によって確立されることができる。一態様において、このようなチャネルは、スタンドアロン専属制御チャネル(Stand-alone Dedicated Control Channel)（ＳＤＣＣＨ）として、識別されることができる。システム情報を効率的にスケジュールする、したがって、トランシーバリソースの不必要な使用を緩和するために、結果として続くバッテリ劣化(ensuing battery deterioration)で、プラニングコンポーネント２１８は、次に説明される少なくとも３つのスケジューリングプランにおいてインプリメントすることができる。３つのプランのそれぞれは、アクセス端末におけるトランシーバリソースの不必要な使用を減らすように、また、スケジュールされたＳＵｓの中の可能な衝突を緩和するように、考案されている。プランは、システム情報を搬送しているリソースブロックがスケジュールされる、明示的、あるいは具体的な時間を識別すること、あるいは、そのような表示を搬送しているスケジュールリソースブロックを示すこと、に使用されることができる時間表示−例、Ｎ−ビットワード、なおＮは正の整数である−を組み込むことによって、ＳＵ−１に関連づけられたスケジューリング情報を拡張する。各プランの特徴は、適切である、図３Ａ及び３Ｂ、そして図４で図示されている。
【００３０】
(i）明示的スケジューリングプラン    システム情報を搬送している第１のＳＵは、例えば、ＬＴＥにおけるＰ−ＢＣＨにおいて、スケジュールされることができる。スケジュールされた第１のＳＵ（例、ＳＵ−１ ３２０）は、異なるＳＵ（例、ＳＵ−２ ３２５）がＢＣＨ、例えばＳＤＣＣＨ３１２、に関連づけられた制御チャネルにおいてスケジュールされるべきである時間の表示τ３２３を搬送する。矢印３２３は、そのような表示を図示しており、ＳＵ３２０に関連づけられたリソースブロックにおいて伝達されるＮビットワードであることができる。そのような時間表示が従来の従来ＬＴＥシステムにおいて不在であるということが記されているべきである。一般に、主題の記載において、ＳＤＣＣＨブロック（例、３１４Ｂ）でＳＵブロック（例、３３０）を接続している矢印は、特定の「ランディング(landing)」ブロックに対する時間表示を表す。「表示された(indicated)」時間は、一態様において、図２００において図示されるように、リソースブロックバウンダリに関して測定されることができ、それにも関わらず、時間の他のオリジン、例えばＳＵにおいてはセントラル時間スロット、が選択されることができる。図３００において、Ｐ−ＢＣＨについてはリソースブロック３０６、ＳＤＣＣＨについてはリソースブロック３１４が図示されていることが記されている。さらに、システム情報がスケジュールされるリソースブロックは、ハッチドブロック(hatched blocks)、例えば３０６Ａ、３０６Ｂ、３０６Ｃ、３０６Ｄ、３１４Ａ、及び３１４Ｂ、として表示されている。さらに、矢印３０７Ａ−３０７Ｄ及び３１５Ａ、３１５Ｂは、制御ブロックは、伝達される、例えばＬＴＥにおいてＤＬ−ＳＣＨにおいて送信される、べきであるスケジュールされたＳＵを有するという事実を図示している。ＳＵｓは、制御チャネルブロック３０６あるいは３１４を通信するように使用されたこれらのリソースに関して異なる数の時間周波数にわたることができるということが注目されているべきであり、したがって、異なるサイズ(differing sizes)は、図３００における複数のＳＵブロックと、Ｐ−ＢＣＨ及びＳＤＣＣＨブロックに関連づけられている。一態様において、表示された時間τ３２３は、制御チャネルＳＤＣＣＨ３１２における特定の時間スロットである。そのようなスケジューリングプランは実践的な複雑さ(practical complexities)を示すことができるということが理解されるべきである。すなわち、制御チャネル、ＳＤＣＣＨ３１２は、どのＳＵ（例、３２５あるいは３４５）がスケジュールされるかを表示する能力を有する必要があり、後者は、スケジューリングチャネル自体における追加情報を介して（追加情報を入力するスペースが利用可能であるということが仮定される）、あるいは、マルチプルＢＣＣＨ（ブロードキャスト制御チャネル）−ＲＮＴＩｓを使用することによって、達成されることができる。異なるＳＵｓ（例、ＳＵ−２ ３２５及びＳＵ−２ ３４５）についてのスケジューリングイベントのタイミング(例、τ３２３、τ’３３３、あるいはτ３４３)が衝突しなかったということをスケジューラ２１５が事前に保証すべきであるということもまた理解されるべきである。衝突を緩和するために、一態様において、第１にスケジュールされたＳＵ(例、ＳＵ−１ ３２０)によって搬送された時間表示は、特定の時間オフセット、あるいはインスタンス−例えば「ＳＵ−２はτＯＦＦ＝２３８７３スロットにおいてスケジュールされるべきである」、よりもむしろ、より低いバウンドとして、タイミングを伝達することができる（「ＳＵ−２が今から、あるいはそのあとすぐに２３８７３スロットをスケジュールされるであろう」という語感観念(semantic notion)を伝達する）
(ii)周期的スケジューリングプラン(Periodic scheduling plan)    代替的に、第１のスケジューリングユニット（例、ＳＵ−１ ３２０）によって伝達される時間表示は、Ｐ−ＢＣＨ３０４と関連づけられた制御チャネル、例えばＳＤＣＣＨ ３１２、において異なるスケジューリングユニットＳＵ−２ ３５２をスケジュールするために、時間サイクル、すなわち時間期間τ３６５を、表示することができる。例えば、第１のスケジューリングユニット、例ＳＵ−１ ３２０、をスケジュールした後で、プラニングコンポーネント２１８は、第２のスケジューリングユニットＳＵ−２ ３５２を、各τ３６５ごとに、スケジュールするために、決定し、示すことができ、ただし、τ＝２４０００スロットであり、ＳＵ−１がスケジュールされる時間からτＯＦＦ＝２３８７３を備えたτＯＦＦ３５５を開始する。プラニングコンポーネント２１８が固定されたサイクルの期間τのほかに時間シーケンスを使用することができるということが理解されるべきである。一般に、プラニングコンポーネント２１８は、実質的にはいずれの時間シーケンスにしたがってＳＵ−２ ３５２をスケジュールするように決定することができ、−時間シーケンスは、時間シーケンス生成器２２１によって生成されることができる。システム２００において、時間シーケンス生成器２２１は、プラニングコンポーネント２１８の外で存在するが、スケジューラ２１５は、時間シーケンス生成器２２１を含む統合されたプラニングコンポーネント２１８に依存するということが理解されるべきである(scheduler 215 an rely on a consolidated planning component 218 that contains time sequence generator 221)。
【００３１】
(iii)変遷的-明示的スケジューリングプラン(Transitive-explicit scheduling plan.)  プラン(i)の特徴は、第３のスケジューリングプランをもたらす次の態様で補完されることができる：スケジュールされたＳＵ（例、ＳＵ−１ ４１０あるいは４２０）は、同じ制御チャネル（例、ＬＴＥにおけるＰ−ＢＣＨ）において、第２のＳＵ（例、ＳＵ−１’ ４３０）に時間表示を搬送することができ；第２のＳＵ（例、ＳＵ−１’ ４３０）は、第３のＳＵ（例、ＳＵ−２）がブロードキャストチャネル、例えばＳＤＣＣＨ ３１２、に関連づけられたチャネルにおいてスケジュールされるべきである時間表示４３３を伝達する。
【００３２】
ＳＵｓをＳＵ−１ ３０８あるいはＳＵ−２ ３１６のいずれかのカテゴリにおいてスケジュールすることは、ラウンドロビン(round robin)、公平キューイング(fair queuing)、最大スループット(maximum throughput)、あるいは比例的公正(proportional fairness)、等のような標準スケジューリングアルゴリズムにしたがって進めるということが理解されるべきである。さらに、ＳＵ−１ ３０８及びＳＵ−２ ３１６がシステム情報の例示的なユニットとして使用されており、あまり頻繁でないスケジュールされたユニットの他のカテゴリは、実質的には同じ方法のプラン（ｉ）−（ｉｉｉ）でインプリメントされることができるということが記されている。
【００３３】
プロセッサ２２５は、一部分、あるいは実質的にはすべて、の基地局２１０におけるコンポーネントの機能作用（単数または複数）を実行するように構成されているということが記されている。ブロック図２００において図示されるように、メモリ２３５は、プロセッサ２２５に結合され、また、プロセッサ２２５のオペレーションを容易にする、様々なデータ、インストラクション(instructions)、指令(directives)、及び同様なものを保存するために使用されることができる。
【００３４】
スケジュールされたシステム情報、あるいはスケジューリングユニット２４５は、検出コンポーネント２５５を介してシステム情報を復号するアクセス端末２５０に対して、順方向リンク（ＦＬ）を介して、典型的に伝達される。検出コンポーネント２５５は、パイロット信号、データ、及びスケジューリング情報を検出するために、１セットの相関器（示されていない）を一般に含み、例えば、セルＩＤ、タイミング情報（例、シンボルバウンダリ）、周波数同期化、情報、及び同様なものは、受信されたＳＵｓの相関を通じて検出されることができる。さらに、特に、ＭＩＭＯ及びＳＩＭＯにおいて動作するモバイル局において、検出コンポーネント２５５は、フーリエ変換コンポーネント、アダマール変換コンポーネント、そしてそのような変換の逆数を生成するコンポーネントに加えて、直列−並列コンポーネントと並列−直接のコンポーネント（示されていない）を含むことができる。プロセッサ２６５は、一部分あるいは実質的にはすべて、の検出コンポーネント２５５におけるコンポーネントの機能作用（単数または複数）（例、計算）を実行するように構成されていることが記されている。ブロック図２００において図示されているように、メモリ２７５は、プロセッサ２６５に結合されており、また、プロセッサ２６５のオペレーションを容易にする、様々なデータ構造、インストラクション、指令、及び同様なものを保存するために、使用されることができる。
【００３５】
図５は、主題の説明において説明される態様にしたがって、システム情報をスケジュールすることを容易にする例示的なシステム５００を図示する。基地局５１０は、スケジューリングユニット２４５をスケジュールするスケジューリング機能性を提供する、スケジューラ５１５を備える。プロセッサ２６５は、一部あるいは、実質的にはすべて、のスケジューラ５１５におけるコンポーネントの機能動作（単数または複数）を実行するように構成されていることが記されている。ブロック図５００において図示されているように、メモリ２３５は、プロセッサ２２５に結合されており、また、プロセッサ２２５のオペレーションを容易にする、様々なデータ、インストラクション、参照時間シーケンス、スケジューリングプラン、及び同様なものを保存するために使用されることができる。スケジューラ５１５は、プラニングコンポーネント２１８と、時間シーケンス生成器２２１を含んでおり、両方のコンポーネントは、図２に関連して上記で開示されるように実質的には同じ方法で動作する。さらに、スケジューラ５１５は、スケジューリングプラン（あるいはポリシー）を備えているポリシーストア５１８を含む。このようなスケジューリングプランは、プラニングコンポーネント２１８を通じて行われるスケジューリングをサポートする。例えば、ポリシーストアにおけるスケジューリングプランは、ブロードキャストチャネルに関連づけられたチャネル上の衝突を防ぐために、スケジューリングユニットを参照し、スケジュールするために使用された時間シーケンスを修正することができる。さらに、ポリシーストアにおけるスケジューリングプランは、基地局５１０によってサービス提供されたサービスセルあるいはセクタの通信条件；例えばアンテナ構成；セル／セクタロード及び他のセクタ干渉；等に基づくことができる。ポリシーストア５１８は、ローミングモバイル端末がサービスセルあるいはセクタを入力するシナリオのためのスケジューリングプランをさらに含むことができるということは、理解されるべきである。
【００３６】
さらに、例えば、システム情報をスケジュールするための参照時間シーケンスを決定して、スケジューラ５１５のオペレーションを容易にするために、知能コンポーネントは、スケジューラにおいて動作することができる。一態様において、知能コンポーネント５２１は、通信及びセル／セクタ通信条件に関する現在及び履歴のデータを集めることができ、例えばスケジュールされたシステム情報のスケジューリングユニットの中の低減されたレートの衝突(a reduced rate of collisions)を確実にする、最適化されたスケジューリングプラン及び時間シーケンス生成を推論することができる。さらに、干渉は、実質的に「ビジーウェイト(busy wait)」を最小化するために、スケジューリングユニットがスケジュールされ、参照されるレートを調節するために活用されることができる。さらに、知能コンポーネント５２１を通じて、スケジューラ５１５は、基地局２１０によってサービス提供されるモバイル局（図１）のオペレーションのモード、例えばＳＩＳＯ、ＳＩＭＯ、及びＭＩＭＯモード、また同様なものを伝達されるようにキューされる(queued)、スケジューリングユニットの現在のバッファサイズに少なくとも部分的に基づいた最適スケジューリングプランを推論することができる。またさらに、マシンラーニング技術に基づいて、知能コンポーネント３２１は、スケジューリングポリシー及びプランを修正することができ、そして、ポリシーストア３１８においてそのようなプランを保存する(intelligent component 321 can modify scheduling policies and plans and stored such plan in policy store 318)。最適化されたプランは、アクセス端末のパフォーマンスオペレーションのパフォーマンス−例えば、バッテリパワー、バッファ使用、処理及び通信オーバーヘッド、送信パワー、等の改善を通じてユーザによって認識されたＱｏＳを高めることができる。
【００３７】
前に利用されるように、主題の明細書の他の部分においては、用語「知能(intelligence)」は、システムについての存在している情報に基づいたシステムの現在の状態あるいは将来の状態を、理由付けするあるいは、結論を下す、例えば推論する能力を指す。人工知能は、特定のコンテキストあるいはアクションを識別するために、あるいは、人間の介入なしのシステムの特定の状態の確率分布を生成するために、利用されることができる。人工知能は、システムに関する１セットの利用可能なデータ（情報）に対して、発展数学アルゴリズム(advanced mathematical algorithms)、−例えば、樹状図(decision trees)、ニューラルネットワーク(neural networks)、回帰分析(regression analysis)、クラスター解析(cluster analysis)、一般的アルゴリズム(genetic algorithms)、及び強化ラーニング(reinforced learning)-を適用することに頼る。
【００３８】
特に、ロードインジケータ生成のためのポリシーに関連して上記で説明された様々な自動化された態様及び、ここにおいて説明された主題の革新に関する他の自動化された態様を達成するために、ＡＩコンポーネント（例、コンポーネント３２０）は、データから学び、構成されたモデルからの推論をするために多数の方法のうちの１つを利用することができ、例えば、隠れマルコフモデル(Hidden Markov Models)（ＨＭＭｓ）及び関連の原型従属モデル(related prototypical dependency models)、ベイシアンネットワークのようなより一般的な蓋然的グラフモデル、例えばベイシアンモデルスコアあるいは近似を使用して構造検索によって作られる、(more general probabilistic graphical models, such as Bayesian networks, e.g., created by structure search using a Bayesian model score or approximation)、サポートベクトルマシン(support vector machines)（ＳＶＭｓ）のようなリニア分類器(linear classifiers)、「ニューラルネットワーク(neural network)」方法と呼ばれる方法のような、ノンリニア分類器(non-linear classifiers)、ファジィロジック方法(fuzzy logic methodologies)及びデータフュージョンを実行する他のアプローチ等がある。
【００３９】
図６は、ここにおいて記載されている１つまたは複数の態様にしたがって無線環境におけるセル（あるいはセクタ）の通信について提供することができる、マルチプル入力マルチプル出力（ＭＩＭＯ）システムにおける、送信機システム６１０（例えば基地局２１０）及び受信機システム６５０（例、アクセス端末２５０）の一実施形態のブロック図６００である。送信機システム６１０において、多数のデータストリームについてのトラフィックデータは、データソース６１２から送信（ＴＸ）データプロセッサ６１４へ提供されることができる。一実施形態において、各データストリームは、それぞれの送信アンテナにわたって送信される。ＴＸデータプロセッサ６１４は、符号化されたデータを提供するためにそのデータストリームについて選択された特定の符号化スキームに基づいて、各データストリームについてのトラフィックデータをフォーマット化し、符号化し、そしてインターリーブする。各データストリームについての符号化されたデータは、ＯＦＤＭ技術を使用してパイロットデータで多重化されることができる。パイロットデータは、典型的に、既知な方法で処理される既知データパターンであり、チャネル応答を推定するために受信機システムにおいて使用されることができる。各データストリームについての多重化されたパイロット及び符号化されたデータは、そのあとで、変調シンボルを提供するために、そのデータストリームについて選択された、特定の変調スキーム（例、バイナリ位相シフトキーイング(binary phase-shift keying)（ＢＰＳＫ）、直交位相シフトキーイング(quadrature phase-shift keying)（ＱＰＳＫ）、マルチプル位相シフトキーイング(multiple phase-shift keying)（Ｍ−ＰＳＫ）、あるいは多元直交振幅変調(M-ary quadrature amplitude modulation)（Ｍ−ＱＡＭ））、に基づいて、変調される（例、シンボルマッピングされる）。各データストリームについてのデータレート、符号化、及び変調は、プロセッサ６３０によって実行されるインストラクションによって決定されることができ、データと一緒にインストラクションは、メモリ６３２に保存されることができる。
【００４０】
すべてのデータストリームについての変調シンボルは、そのあとでＴＸ ＭＩＭＯプロセッサ６２０に提供され、変調シンボル（例、ＯＦＤＭ）をさらに処理することができる。ＴＸ ＭＩＭＯプロセッサ６２０は、そのあとでＮＴトランシーバ（ＴＭＴＲ／ＲＣＶＲ）６２２Ａ〜６２２Ｔに対して、ＮＴ変調シンボルストリームを、提供する。ある実施形態においては、ＴＸ ＭＩＭＯプロセッサ６２０は、データストリームのシンボルに対して、及びシンボルが送信されているアンテナに対して、ビームフォーミングの重みづけ(beamforming weights)（あるいはプレコード化）を適用する。各トランシーバ６２２は、１つまたは複数のアナログ信号を提供するために、それぞれのシンボルストリームを受信し、処理し、そして、ＭＩＭＯチャネルにわたる送信に適切な変調信号を提供するために、アナログ信号をさらに条件づける（例、増幅し、フィルタにかけ、そしてアップコンバートする）。トランシーバ６２２Ａ〜６２２ＴからＮＴ変調された信号は、そのあとで、それぞれ、ＮＴアンテナ６２４１〜６２４Ｔから、送信される。受信機システム６５０において、送信された変調信号は、ＮＲアンテナ６５２１〜６５２Ｒによって受信され、各アンテナ６５２からの受信信号は、それぞれのトランシーバ（ＲＣＶＲ／ＴＭＴＲ）６５４Ａ〜６５４Ｒに対して提供される。各トランシーバ６５４１−６５４Ｒは、それぞれの受信された信号を条件づけ（例、フィルタにかけ、増幅し、そしてダウンコンバートし）、サンプルを提供するために条件づけられた信号をデジタル化し、そして、対応する「受信(received)」シンボルストリームを提供するためにサンプルをさらに処理する。
【００４１】
ＲＸデータプロセッサ６６０はその後で、ＮＴ「検出された(detected)」シンボルストリームを提供するために特定の受信機処理技術に基づいて、ＮＲトランシーバ６５４１−６５４ＲからＮＲ受信されたシンボルストリームを受信し、処理する。ＲＸデータプロセッサ６６０はその後で、データストリームについてのトラフィックデータを回復するために、各検出されたシンボルストリームを復調し、デインタリーブし、そして復号する。ＲＸデータプロセッサ６６０による処理は、送信機システム６１０におけるＴＸ ＭＩＭＯプロセッサ６２０及びＴＸデータプロセッサ６１４によって実行されることに対して補足的である。プロセッサ６７０は、どのプレコーディングマトリクスを使用するかを周期的に決定し、そのようなマトリクスは、メモリ６７２において保存されることができる。プロセッサ６７０は、ランク値部分とマトリクスインデクス部分を備えている逆方向リンクメッセージを公式化する。メモリ６７２は、プロセッサ６７０によって実行されるときに、逆方向リンクメッセージを公式化することを結果としてもたらすインストラクションを保存することができる。逆方向リンクメッセージは、通信リンクに関する様々なタイプの情報、受信されたデータストリーム、あるいは、それらの組み合わせ、を備えることができる。特に、そのような情報は、チャネル品質インジケータ報告（単数または複数）（例えばＣＱＩ２７９）、スケジュールされたリソースを調節するためのオフセット、あるいは、リンク（あるいはチャネル）推定についてのサウンディング参照信号(sounding reference signals)、を備えることができる。逆方向リンクメッセージは、そのあとで、データソース６３６からの多数のデータストリームについてのトラフィックデータもまた受信するＴＸデータプロセッサ６３８によって処理され、モジュレータ６８０によって変調され、トランシーバ６５４Ａ〜９５４Ｒによって条件づけられ、そして、送信機システム６１０に戻って送信される。
【００４２】
送信機システム６１０において、受信機システム６５０からの変調された信号は、受信機システム６５０によって送信されたリザーブリンクメッセージ(reserve link message)を抽出するために、アンテナ６２４１−６２４Ｔによって受信され、トランシーバ６２２Ａ−６２２Ｔによって条件づけられ、デモジュレータ６４０によって復調され、ＲＸデータプロセッサ６４２によって処理される。プロセッサ６３０は、ビームフォーミング重み(beamforming weights)を決定するためにどのプレコーディングマトリクスを使用するかをそのあとで決定し、抽出されたメッセージを処理する。さらに、プロセッサ６３０は、スケジューラコンポーネント６４４に、あるいは単にスケジューラ６４４のみに機能性を動作し、提供し、そしてそれはコンポーネント２１５及び５１５に関連して主題の明細書において説明される態様にしたがって動作する。
【００４３】
上記で説明されるように、図１に関連して、受信機６５０は、受信機によって報告されるチャネル品質インジケータに少なくとも部分的に依存して、ＳＩＭＯ、ＳＵ−ＭＩＭＯ、及びＭＵ−ＭＩＭＯにおいて動作するように動的にスケジュールされることができる。次にオペレーションのこれらのモードにおける通信が説明されている。ＳＩＭＯモードにおいて、受信機（ＮＲ＝１）における単一のアンテナは、通信のために利用されるということに注目されており、したがって、ＳＩＭＯオペレーションは、ＳＵ−ＭＩＭＯの特別なケースとして解釈されることができる。単独ユーザＭＩＭＯモードのオペレーションは、前に図６で図示されているように且つ関連して説明されているオペレーションにしたがって、単独受信機システム６５０が送信機システム６１０と通信するケースと対応する。このようなシステムにおいて、ＮＴ送信機６２４１−６２４Ｔ（ＴＸアンテナとしても知られている）、及びＮＲ受信機６５２１−６５２Ｒ（ＲＸアンテナとしても知られている）は、無線通信用のＭＩＭＯマトリクスチャネル（例、レイリーチャネル(Rayleigh channel)、あるいはガウスチャネル(Gaussian channel)で、スローなあるいはファストなフェージングを備えている(slow or fast fading)）を形成する。上述したように、ＳＵ−ＭＩＭＯチャネルは、ランダム複素数のＮＲ×ＮＴマトリクスによって説明されている。チャネルのランクは、ＮＲ×ＮＴマトリクスの代数ランク(algebraic rank)と等しく、スペース時間あるいはスペース周波数符号化の点において、ランクは、インターストリーム干渉を課すことなしにＳＵ−ＭＩＭＯチャネルにわたって送信されることができる、独立データストリーム（あるいは層）の数字ＮＶ≦ｍｉｎ｛ＮＴ，ＮＲ｝と等しい。
【００４４】
一態様において、ＳＵ−ＭＩＭＯモードにおいて、トーンωで、ＯＦＤＭを用いて、送信された／受信されたシンボルは、次のようにモデル化されることができる。
【００４５】
ｙ（ω）＝Ｈ（ω）ｃ（ω）＋ｎ（ω）．    （２）
なお、ｙ（ω）は、受信されたデータストリームであり、ＮＲ×１ベクトルであり、Ｈ（ω）は、トーンωにおけるチャネル応答ＮＲ×ＮＴマトリクス（例、時間独立チャネル応答マトリクスｈのフーリエ変換）であり、ｃ（ω）は、ＮＴ×１の出力シンボルベクトルであり、ｎ（ω）は、ＮＲ×１雑音ベクトル（例、付加的な白色ガウス雑音(additive white Gaussian noise)）である。プレコード化は、ＮＶ×１層ベクトルをＮＴ×１プレコード化出力ベクトルに変換することができる。ＮＶは、送信機６１０によって送信された実際の数のデータストリーム（層）であり、また、ＮＶは、端末（例、受信機６５０）によるスケジューリングリクエストにおいて報告されるランク及びチャネル条件に少なくとも部分的に基づいて、送信機（例、送信機６１０、ノードＢ２１０、あるいはアクセスポイント１１０）の裁量(discretion)においてスケジュールされることができる。同様に、システム情報は、ＮＶ層を活用することによってＭＩＭＯ構成において伝達されることができる。ｃ（ω）は、少なくとも１つの多重化スキーム、そして送信機によって適用された少なくとも１つのプレコード化（あるいはビームフォーミング）スキーム、の結果であるということが理解されるべきである。さらに、c(ω)は、パワーゲインマトリクスで、畳み込みをつくられることができ(can be convoluted with a power gain matrix)、パワー送信機６１０の量を決定し、各データストリームＮＶを送信するように割り付ける。そのようなパワーゲインマトリクスは、報告されたＣＱＩに、部分的に、応じて、サービングノードにおけるスケジューラを通じて、端末（例、アクセス端末２５０、受信機６５０、あるいはＵＥ１６０）に対して割り当てられたリソースであることができるということが理解されるべきである。
【００４６】
上記で述べられているように、一態様にしたがって、１セットの端末（例、モバイル１７０１−１７０６）のＭＵ−ＭＩＭＯオペレーションは、主題のイノベーションの範囲内である。さらに、スケジュールされたＭＵ−ＭＩＭＯ端末は、ＳＵ−ＭＩＭＯ端末及びＳＩＭＯ端末と共同で(jointly)動作する。図７は、受信機６５０と実質的には同じ受信機(receivers)において具現化された３つのＡＴｓ６５０Ｐ、６５０Ｕ、及び６５０ＳがノードＢを具現化する送信機６１０と通信する、例示的なマルチプルユーザＭＩＭＯシステム７００を図示する。システム７００のオペレーションは、サービングアクセスポイント（例、１１０あるいは２５０）に常駐している中心化されたスケジューラによりサービスセル内でＭＵ−ＭＩＭＯオペレーションにおいてスケジュールされた、例えば端末１７０１−１７０６のような無線デバイスの実質的にはいずれのグループ（例、１８５）のオペレーションを表していると理解されるべきである。上記で述べられているように、送信機６１０は、ＮＴ ＴＸアンテナ６２４１−６２４Ｔを有しており、ＡＴｓのそれぞれは、マルチプルＲＸアンテナを有しており、すなわち、ＡＴＰはＮＰアンテナ６５２１−６５２Ｐを有し、ＡＰＵは、ＮＵアンテナ６５２１−６５２Ｕを有し、ＡＰＳは、ＮＳアンテナ６５２１−６５２Ｓを有する。端末とアクセスポイントとの間の通信は、アップリンク７１５Ｐ、７１５Ｕ、及び７１５Ｓを通じて実行される。同様に、ダウンリンク７１０Ｐ、７１０Ｕ、及び７１０Ｓは、それぞれ、ノードＢ６１０と端末ＡＴＰ、ＡＴＵ、及びＡＴＳとの間の通信を容易にする。さらに、各端末と基地局との間の通信は、図６で図示され、これらの説明で説明されたように、実質的には同じコンポーネントを通じて、実質的には同じ方法でインプリメントされる。
【００４７】
端末は、アクセスポイント６１０（例、セル１８０）によってサービス提供されるセル内で実質的には異なる配置において配置されることができ、したがって、各ユーザ機器６５０Ｐ、６５０Ｕ、及び６５０Ｓはその自体のＭＩＭＯマトリクスチャネルｈα、応答マトリクスＨα（α＝Ｐ、Ｕ、及びＳ）を有しており、その特有のランク(its own rank)（あるいは同等に、単一の値の分解(equivalently, singular value decomposition)）と、その特有の関連づけられたチャネル品質インジケータ(its own associated channel quality indicator)を備えている。基地局６１０によってサービス提供されるセルにおいて存在する複数のユーザにより、イントラセルの干渉は、存在することができ、端末６５０Ｐ、６５０Ｕ、及び６５０Ｓのそれぞれによって報告されるＣＱＩの値に影響を与えることができる。干渉は、スケジュールされたパケットがアクセス端末（例、６５０Ｐ、６５０Ｕ、及び６５０Ｓ）によって検出されない可能性があるように、システム情報のＳＵｓのスケジューリング（例、スケジューリングユニット２４５）に特に影響を与える。一態様において、１つまたは複数の端末についてのスケジューリングプランは、いったん干渉が特定のスレッシュホールド(specific threshold)に達すると、動的に且つ自律的に(autonomously)、知能コンポーネント(intelligent component)５２１を通じて修正されることができる。
【００４８】
図７において３つの端末で図示されているにも関わらず、ＭＵ−ＭＩＭＯシステムは実質的にはいずれの数の端末（例、グループ１８５は、６つの端末１７０１−１７０６を含む）も備えることができるということが理解されるべきであり、そのような端末のそれぞれは、インデクスｋで、下記で示されている。様々な態様にしたがって、アクセス端末６５０Ｐ、６５０Ｕ、及び６５０Ｓのそれぞれは、図２に関連して説明されるプラン(i)、(ii)、及び(iii)のうち少なくとも１つにしたがって、ノードＢ６１０からシステム情報を受信することができる。加えて、ノードＢ６１０は、ＳＵ−ＭＩＭＯあるいはＳＩＳＯのようなオペレーションの異なるモードにおいて、端末６５０Ｐ、６５０Ｕ、及び６５０Ｓのそれぞれを動的に再スケジュールし、端末のそれぞれについてのシステム情報のスケジューリングについて異なるプランを確立することができる。
【００４９】
一態様において、ＯＦＤＭを用いて、送信された／受信されたシンボルは、トーンωにおいて且つユーザｋについて、以下のようにモデル化されることができる。
【００５０】
ｙｋ（ω）＝Ｈｋ（ω）ｃｋ（ω）＋Ｈｋ（ω）Σ’ｃｍ（ω）＋ｎｋ（ω）．        （３）
ここでは、記号は、式（１）と同じ意味を有している。マルチユーザダイバーシティにより、ユーザｋによって受信される信号における他のユーザ干渉は、式（２）の左側の第２項でモデル化されているということが理解されるべきである。プライム（‘）記号は、送信された記号ベクトルｃｋは、和(summation)から除外されているということを指している。一連における項(terms)は、セルにおける他のユーザに対し、送信機（例、アクセスポイント２５０）によって送信されたシンボルのユーザｋによる受信（そのチャネル応答Ｈｋを通じて）を表す。
【００５１】
例示的なシステムおよび関連態様の点において、上記で提示され、説明されるように、開示された主題の事柄にしたがって、インプリメントされることができるフレキシブルチャネル品質インジケータのための方法は、図８、９、及び１０のフローチャートを参照して、よりよく理解されることができる。説明の簡略化の目的のために、方法が１連のブロックとして示され、そして説明される一方で、特許請求された主題の事柄がブロックの数あるいは順序によって制限されていないということが認識され、理解されるべきであり、いくつかのブロックは、ここにおいて図示され説明されたものから他のブロックと、異なる順序で及び／または同時に生じることができる。さらに、必ずしもすべての図示されたブロックは、下記で説明された方法をインプリメントすることを必要とされなくてもよい。ブロックに関連づけられた機能は、ソフトウェア、ハードウェア、それらの組み合わせ、あるいはいずれの他の適切な手段（例、デバイス、システム、プロセス、コンポーネント、…）によってインプリメントされることができるということが理解されるべきである。下記及び主題の明細書全体にわたって開示された方法は、様々なデバイスに対してそのような方法をトランスポートし、転送することを容易にするために製造品上で保存されることができるということがさらに理解されるべきである。当業者は、状態図におけるような、一連の相互関連づけられた状態あるいはイベントとして代替的に表されることができるであろうということを理解し、認識するであろう。
【００５２】
図８Ａ及び８Ｂは、それぞれ、異なるスケジューリングユニットに対する時間参照を使用してシステム情報をスケジュールするための、例示的な方法８００及び８５０のフローチャートである。図８Ａに関して、アクト８１０において、第１のスケジューリングユニットがスケジューリングされ、該スケジューリングユニットは、第２のスケジューリングユニットがスケジュールされるべきである時間の表示を含む。アクト８２０において、図４Ａ及び４Ｂ、そして図５に関連して上記で説明されているように、第２のスケジューリングユニットは、ブロードキャストチャネルに関連づけられた制御チャネルにおいてスケジュールされる。アクト８３０において、第１のスケジューリングユニットと第２のスケジューリングユニットが伝達される。
【００５３】
図８Ｂに関して、アクト８６０において第１のスケジューリングユニットがスケジュールされている。スケジューリングユニットは、時間シーケンスの少なくとも表示を備え、それに応じて、１セットの異なるスケジューリングユニットは、スケジュールされるべきである(comprises at least an indication of a time sequence according to which a set of disparate scheduling units is to be scheduled)。アクト８７０において、セットの異なるスケジューリングユニットがスケジュールされている。アクト８８０において、１セットのスケジューリングユニットが伝達される。
【００５４】
図９は、異なるスケジューリングユニットを参照することによって、システム情報をスケジュールすることを容易にする、例示的な方法９００のフローチャートである。アクト９１０をアクトし(Act act 910)、第１のスケジューリングユニットは、第２のスケジューリングユニットを示すようにスケジュールされる。参照された第２のスケジューリングユニットは、第３のスケジューリングユニットがスケジュールされるべきである時間の表示を含む。アクト９２０において、第３のスケジューリングシーケンスは、ブロードキャストチャネルに関連づけられた制御チャネルにおいてスケジュールされている。第１のスケジューリングユニットと第２のスケジューリングユニットは、典型的には同じチャネル、例えばＬＴＥシステムのＤＬ−ＳＣＨ、においてスケジュールされること、そして関連の制御チャネルは、参照されたＳＵｓをスケジュールするために使用されること、が理解されるべきである。アクト９３０において、第１のスケジューリングユニット、第２のスケジューリングユニット、第３のスケジューリングユニット、が伝達される。
【００５５】
図１０は、スケジューリングポリシーにしたがって時間参照を生成することを容易にする、例示的な方法１０００のフローチャートである。上記で説明されるように、スケジューリングポリシーは、基地局におけるポリシーストア（例、ポリシーストア３１８）において常駐することができる。典型的には、スケジューリングポリシーは、基地局のサービスエリアのエリアにおいてモバイル端末にサービス提供する、サービスプロバイダによって決定される。一態様において、異なるサービスプロバイダに関連づけられたポリシーストアは、無線デバイスのローミングを容易にするために基地局において保存されることができる。アクト１０１０において、スケジューリングポリシーが受信される。アクト１０２０において、１セットの時間は、受信されたスケジューリングポリシーにしたがって生成されている。１セットの時間は、スケジューリングユニットに対するスケジューリング参照を示すために時間参照として使用される。
【００５６】
図１１は、主題の明細書において説明された態様にしたがってユニットをスケジュールすることを容易にするシステム１００のブロック図を図示する。システム１１００は、第１のスケジューリングユニットをスケジュールするためのモジュール１１１０と、なお、第１のスケジューリングユニットは、第２のスケジューリングユニットがスケジュールされるべきである１セットの時間の表示を含む；ブロードキャストチャネルに関連した制御チャネルにおいて第２のスケジューリングユニットをスケジュールするためのモジュール１１２０と；第１のスケジューリングユニットを伝達し、第２のスケジューリングユニットを伝達するためのモジュール１１３０と；スケジューリングユニットをスケジュールするためのモジュール１１４０と、なお、スケジューリングユニットは、時間サイクルの少なくとも表示を備え、それに応じて、１セットの異なるスケジューリングユニットがスケジュールされるべきである；１セットの異なるスケジューリングユニットをスケジュールするためのモジュール１１５０と；を含むことができる。モジュール１１１０、１１２０、１１３０、１１４０、及び１１５０は、プロセッサあるいはいずれの電子デバイスであることができ、また、メモリモジュール１１６０に結合されることができる。
【００５７】
図１２は、主題の明細書において説明された態様にしたがってスケジューリングユニットを容易にする例示的なシステム１２００のブロック図を図示する。システム１２００は、第２のスケジューリングユニットを示す第１のスケジューリングユニットをスケジュールするためのモジュール１２１０と、なお、第２のスケジューリングは第３のスケジューリングユニットがスケジュールされるべきである時間の表示を含む；ブロードキャストチャネルに関連した制御チャネルにおいて第３のスケジューリングユニットをスケジュールするためのモジュール１２２０と；第３、４、及び５のスケジューリングユニットを伝達するためのモジュール１２３０と；スケジューリングユニットをスケジュールするためのモジュール１２４０と、なお、スケジューリングユニットは、時間サイクルの少なくとも表示を備え、それに応じて、１セットの異なるスケジューリングユニットがスケジュールされるべきである；１セットの異なるスケジューリングユニットをスケジュールするためのモジュール１２５０と；を含むことができる。モジュール１２１０、１２２０、１２３０、１２４０、及び１２５０は、プロセッサあるいは、いずれの電子デバイスであることができ、また、メモリモジュール１２６０に結合されていてもよい。
【００５８】
ソフトウェアインプリメンテーションについては、ここにおいて説明される技術は、ここにおいて説明される機能を実行するモジュール（例、プロシージャ、機能、等）でインプリメントされることができる。ソフトウェアコードは、メモリユニットにおいて保存され、プロセッサによって実行されることができる。メモリユニットは、プロセッサ内で、あるいはプロセッサの外で、インプリメントされることができ、そのケースにおいては、技術分野において知られているような様々な手段を介して、プロセッサに通信的に結合されることができる。
【００５９】
ここにおいて説明される様々な態様あるいは特徴は、標準プログラミング及び／または工学技術を使用して、方法、装置、あるいは製造品としてインプリメントされることができる。ここにおいて使用されているように用語「製造品(article of manufacture)」は、いずれのコンピュータ可読デバイス、キャリア、あるいはメディアからアクセス可能なコンピュータプログラムを含むように意図されている。例えば、コンピュータ可読メディアは、磁気保存デバイス（例、ハードディスク、フロッピー（登録商標）ディスク、磁気ストリップ(magnetic strips）等）に限定されず、光学ディスク（例、コンパクトディスク（ＣＤ）、デジタル汎用ディスク（ＤＶＤ）等）、スマートカード、及びフラッシュメモリデバイス（例、ＥＰＲＯＭカード、スティック、キードライブ等）を含むことができる。さらに、ここにおいて説明される様々なストレージメディアは、１つまたは複数のデバイスあるいは情報を保存するための他のマシン可読メディアを表すことができる。用語「マシン可読メディア(machine-readable medium)」は、限定されないが、無線チャネル及び、インストラクション（単数または複数）あるいはデータを保存し、含み、あるいは搬送することができる他のメディアを含むことができる。
【００６０】
ここにおいて使用されているように、用語「プロセッサ(processor)」は、典型的なアーキテクチャあるいは量子コンピュータ(quantum computer)を指すことができる。古典的なアーキテクチャ(classical architecture)は、備えることを限定されてはいないが、単一コアのプロセッサ(single-core processors)、ソフトウェアのマルチスレッド実施機能を備えた単一プロセッサ(single-processors with software multithread execution capability)、マルチコアプロセッサ(multi-core processors)、ソフトウェアマルチスレッド技術を備えたマルチコアプロセッサ(multi-core processors with software multithread execution capability)、ハードウェアマルチスレッド技術を備えたマルチコアプロセッサ(multi-core processors with hardware multithread technology)、パラレルプラットフォーム(parallel platforms)、及び分散された共有メモリを備えたパラレルプラットフォーム(parallel platforms with distributed shared memory)、を備えている。さらに、プロセッサは、集積回路、特定用途向け集積回路（ＡＳＩＣ）、デジタル信号プロセッサ（ＤＳＰ）、フィールドプログラマブルゲートアレイ（ＦＰＧＡ）、プログラマブル論理コントローラ（ＰＬＣ）、複雑プログラマブル論理デバイス（ＣＰＬＤ）、ディスクリートゲートあるいはトランジスタ論理、ディスクリートハードウェアコンポーネント、あるいは、ここにおいて説明されたファンクションを実行するように設計されたそれらのいずれの組み合わせ、を指すことができる。量子コンピュータのアーキテクチャ(Quantum computer architecture)は、ゲートされたあるいはセルフアセンブルされた量子ドット(gated or self-assembled quantum dots)、核磁気共鳴プラットフォーム(nuclear magnetic resonance platforms)、超伝導ジョセフソン結合(superconducting Josephson junctions)等で、具現化されたキュービット(qubits)に基づくことができる。プロセッサは、例えば、スペース使用を最適化する、あるいは、ユーザ機器のパフォーマンスを高める、ために、限定されてはいないが、分子及び量子−ドットベースの(molecular and quantum-dot based)トランジスタ、スイッチ、及びゲート、のような、ナノスケールのアーキテクチャ(nano-scale architectures)を利用することができる。プロセッサはまた、コンピューティングデバイスの組み合わせ、例えば、ＤＳＰ及びマイクロプロセッサの組み合わせ、複数のマイクロプロセッサ、ＤＳＰコアと関連した１つまたは複数のマイクロプロセッサ、あるいはいずれの他のそのような構成、としてインプリメントされることができる。
【００６１】
さらに、主題の明細書において、用語「メモリ(memory)」は、データストア(data stores)、アルゴリズムストア(algorithm stores)、そして、限定されないが、イメージストア(image store)、デジタルミュージック及びビデオストア、チャート、及びデータベースのような他の情報のストア、を指す。ここにおいて説明されたメモリコンポーネントは、揮発性メモリあるいは不揮発性メモリのいずれかであってもよく、あるいは、揮発性及び不揮発性の両方のメモリを含む可能性があることが理解されるであろう。例として、限定ではないが、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能なＲＯＭ（ＥＥＰＲＯＭ）、あるいはフラッシュメモリ、を含むことができる。揮発性メモリは、ランダムアクセスメモリ（ＲＡＭ）を含むことができ、外部キャッシュメモリとして作用する。例として、限定ではないが、ＲＡＭは、シンクロナスＲＡＭ(synchronous RAM)（ＳＲＡＭ）、動的ＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ ＳＤＲＡＭ）、エンハンスドＳＤＲＡＭ(enhanced SDRAM)（ＥＳＤＲＡＭ）、シンクリンクＤＲＡＭ(Synchlink DRAM)（ＳＬＤＲＡＭ）、及びダイレクトランバスＲＡＭ(direct Rambus RAM)（ＤＲＲＡＭ）、のようないくつかの形態において利用可能である。さらに、ここにおけるシステム及び／または方法の開示されたメモリコンポーネントは、限定されることなく、これら及びいずれの他の適切なタイプのメモリを備えるように意図されている。
【００６２】
上記で説明されてきたものは、１つ以上の実施形態の例を含む。前述の実施形態を説明する目的のためにすべての考えられるだけのコンポーネントあるいは方法の組み合わせを記述することは、勿論、可能ではないが、当業者は、さまざまな実施形態の多くのさらなる組み合わせと並び替えが可能であるということを認識することが出来る。したがって、記載された実施形態は、添付された特許請求の範囲の精神および範囲の中に入る、すべてのそのような変更、修正、および変形を含むように意図されている。さらに、用語「含む(includes)」、「含んでいる(including)」、「所有する(possess)」、「所有している(possessing)」、あるいはそれらの変形(variants)は、詳細な説明あるいは特許請求の範囲のいずれかにおいて使用されており、そのような用語は、用語「備えている(comprising)」がトランジショナルワード(transitional word)として請求項において使用されるときに解釈されるように、用語「備えている)」と同様な方法で包括的であるように意図されている。
【図１】
2010521895.tif 000003
【図２】
2010521895.tif 000004
【図３Ａ】
2010521895.tif 000005
【図３Ｂ】
2010521895.tif 000006
【図４】
2010521895.tif 000007
【図５】
2010521895.tif 000008
【図６】
2010521895.tif 000009
【図７】
2010521895.tif 000010
【図８Ａ】
2010521895.tif 000011
【図８Ｂ】
2010521895.tif 000012
【図９】
2010521895.tif 000013
【図１０】
2010521895.tif 000014
【図１１】
2010521895.tif 000015
【図１２】
2010521895.tif 000016
【国際調査報告】
2010521895.tif 000017
2010521895.tif 000018
2010521895.tif 000019